(57)【要約】【課題】外部床の内部や下方の障害物による制約を受けることなく、外部床のうち任意の位置に支持部材を固定することのできる固定補助具、及び固定構造を提供すること。【解決手段】固定補助具３００は、支持部材１０のベース部１１に対して上方から重ねられる平板状の押さえ部３１０と、押さえ部３１０から外側に向かって延びており、外部床１００に対して対向配置される平板状の固定部３３０と、を備えている。  ベース部１１よりも外側となる位置において、固定補助具３００の固定部３３０が外部床１００に締結固定される。これにより、支持部材１０が外部床１００に固定される。【選択図】図４
2015151804.tif 000002
【特許請求の範囲】
【請求項１】
建物の屋根やベランダ等の外部床に載置される平板状のベース部と、当該ベース部の略中央から上方に向かって延び、太陽光パネル等を下方から支えるための支持柱と、を有する支持部材を、前記外部床に対して固定するための固定補助具であって、
前記ベース部に対して上方から重ねられる平板状の押さえ部と、
前記押さえ部から外側に向かって延びており、前記外部床に対して対向配置される平板状の固定部と、を備え、
前記ベース部よりも外側となる位置において、前記固定部が前記外部床に締結固定されることを特徴とする固定補助具。
【請求項２】
前記押さえ部の略中央となる位置には、前記支持柱を挿通するための支持柱用貫通孔が形成されており、
前記支持柱用貫通孔に前記支持柱が挿通された後、前記固定部が前記外部床に締結固定される前の状態においては、前記支持柱の中心軸周りに回転させることが可能であることを特徴とする、請求項１に記載の固定補助具。
【請求項３】
前記固定部には、締結部材を挿通するための固定用貫通孔が複数箇所に形成されており、
少なくとも二つの前記固定用貫通孔が、前記支持柱の中心軸からの距離において互いに異なるような位置に形成されていることを特徴とする、請求項２に記載の固定補助具。
【請求項４】
前記押さえ部及び前記固定部の全体形状は、上面視において略長方形状であることを特徴とする、請求項２又は３に記載の固定補助具。
【請求項５】
前記支持部材が水平方向に移動してしまうことを規制するための規制部を更に備えたことを特徴とする、請求項１乃至４のいずれか一項に記載の固定補助具。
【請求項６】
建物の屋根やベランダ等の外部床に載置された平板状のベース部と、当該ベース部の略中央から上方に向かって延びる支持柱と、を有する支持部材を、固定補助具によって前記外部床に対し固定してなる支持部材の固定構造であって、
前記固定補助具は、
前記ベース部に対して上方から重ねられた平板状の押さえ部と、
前記押さえ部から前記ベース部よりも外側に向かって延びており、前記外部床に対して対向配置された平板状の固定部と、を備え、
前記ベース部よりも外側となる位置において、前記固定部が前記外部床に締結固定されていることを特徴とする支持部材の固定構造。
【請求項７】
前記固定補助具が、前記支持部材が水平方向に移動してしまうことを規制するための規制部を更に備えていることを特徴とする、請求項６に記載の固定構造。
【発明の詳細な説明】
【技術分野】
【０００１】
本発明は、太陽光パネル等を下方から支持する支持部材を、建物の屋根やベランダ等の外部床に固定するための固定補助具、及びこれを用いた固定構造に関する。
【背景技術】
【０００２】
既存の建物の屋根やベランダ等の外部床に、太陽光パネル等の重量物（以下、「屋外設置物」とも称する）を後付けで設置する際には、屋外設置物を下方から支持するための支持部材が外部床に対して先ず取り付けられる。支持部材は、外部床に載置される平板状のベース部と、当該ベース部の略中央から上方に向かって延びる支持柱とを備えている。このような支持部材を介して屋外設置物が外部床に設置されるため、外部床の上面を覆う樹脂製の防水シートが屋外設置物との接触によって傷ついてしまう等の不具合が防止される。
【０００３】
外部床に対する支持部材の固定は、通常、ボルトやＩＴハンガー等の締結部材を用いてベース部を外部床に締結固定することにより行われる。具体的には、ベース部に複数の孔（以下、「ベース孔」とも称する）を予め形成しておき、外部床のうちベース孔に対応する部分にもそれぞれ孔（以下、「床孔」とも称する）を形成しておく。ベース孔と床孔とが上面視で重なるように支持部材を外部床に設置した後、ベース孔及び床孔に締結部材を挿入して締結することにより、ベース部を外部床に締結固定する。尚、外部床に形成される床孔は必ずしも貫通孔であるとは限られず、有底の孔である場合もある。
【０００４】
ところで、外部床が例えば軽量気泡コンクリートパネル（ＡＬＣ）からなり、その内部に鉄筋が配置されている場合には、当該鉄筋が障害物となって、上記のように床孔を形成することができないことがある。また、外部床に床孔（貫通孔）を形成することができたとしても、外部床の直下に配置された電気配線や配管等が障害物となって、締結部材による締結固定ができないことがある。
【０００５】
床孔を形成すべき位置に上記のような障害物が存在している場合には、当該位置ではベース部（支持部材）を締結固定することができない。このため、支持部材を固定する作業中において障害物の存在が判明した際には、外部床における支持部材の固定位置を変更することも考えられる。しかし、支持部材の固定位置、すなわち、（太陽光パネル等である）屋外設置物の固定位置は、太陽光の入射方向等を考慮して最適な位置とすべきものであるから、外部床の内部や下方の障害物によって制約されてしまうのは望ましくない。
【０００６】
そこで、下記特許文献１に記載された支持部材では、ベース部に形成されるベース孔の数を、実際に締結部材が挿入され締結固定される数（十分な引き抜き耐力を得るために必要な締結箇所の数）よりも多くしている。このような構成とすることにより、特定のベース孔の下方に床孔を形成すること等ができなかった場合には、支持部材の固定位置を変更することなく、他のベース孔の下方に床孔を形成し、当該位置においてベース部を締結固定することを試みることができる。その結果、支持部材の固定位置を変更することなく、障害物を避けてベース部を締結固定することのできる可能性が高くなっている。換言すれば、障害物の位置に制約されることなく任意の位置に支持部材を固定し、自由な位置や向きにおいて屋外設置物を設置することのできる可能性が高くなっている。
【先行技術文献】
【特許文献】
【０００７】
【特許文献１】特開２０１０−２６５７３６号公報
【発明の概要】
【発明が解決しようとする課題】
【０００８】
しかしながら、支持部材のうちベース部の大きさ（広さ）は限られている。このため、上記特許文献１に記載の支持部材のように、ベース部に多数のベース孔を形成していたとしても、外部床のうち各ベース孔に対応する位置の全てにおいて、外部床内部の障害物によって床孔を形成することができなかったり、形成された床孔の下方の障害物によって締結固定が妨げられたりする可能性がある。
【０００９】
そこで、支持部材のベース部を従来のものよりも大きくしておき、その全体に（様々な位置に）更に多数のベース孔を形成しておくことも考えられる。この場合には、いずれかのベース孔の下方において、外部床に床孔を形成してベース部を締結固定することのできる可能性は高くなるが、支持部材の大型化や重量増加に伴って作業性は悪くなってしまう。また、支持部材の材料コストが高くなってしまうという問題も生じる。
【００１０】
本発明はこのような課題に鑑みてなされたものであり、その目的は、外部床の内部や下方の障害物による制約を受けることなく、外部床のうち任意の位置に支持部材を固定することのできる固定補助具、及び固定構造を提供することにある。
【課題を解決するための手段】
【００１１】
上記課題を解決するために、本発明に係る固定補助具は、建物の屋根やベランダ等の外部床に載置される平板状のベース部と、当該ベース部の略中央から上方に向かって延び、太陽光パネル等を下方から支えるための支持柱と、を有する支持部材を、前記外部床に対して固定するための固定補助具であって、前記ベース部に対して上方から重ねられる平板状の押さえ部と、前記押さえ部から外側に向かって延びており、前記外部床に対して対向配置される平板状の固定部と、を備え、前記ベース部よりも外側となる位置において、前記固定部が前記外部床に締結固定されることを特徴としている。
【００１２】
支持部材とは、建物の屋根やベランダ等の外部床に固定された状態で、太陽光パネル等の屋外設置物を下方から支えるための部材である。支持部材は、外部床に載置される平板状のベース部と、当該ベース部の略中央から上方に向かって延び、太陽光パネル等を下方から支えるための支持柱と、を有している。本発明に係る固定補助具は、このような支持部材を外部床に対して固定するためのものである。
【００１３】
本発明に係る固定補助具は、押さえ部と固定部とを備えている。押さえ部は、支持部材のベース部に対して上方から重ねられる平板状の部分である。固定部は、押さえ部から外側に向かって延びており、外部床に対して対向配置される平板状の部分である。本発明に係る固定補助具によれば、ベース部よりも外側となる位置において、固定部が外部床に締結固定される。それに伴い、押さえ部が支持部材のベース部を上方から押さえつけるため、支持部材も外部床に対して固定される。
【００１４】
外部床の内部に障害物が存在し、これによりベース部の下方に床孔を形成することができない場合や、外部床の下方に障害物が存在し、これによりベース部を締結固定することができない場合であっても、障害物を避けた位置において固定部を外部床に締結固定することで、支持部材のベース部を外部床に対して押さえつけて固定することができる。つまり、ベース部の下方に障害物があり、ベース部を直接外部床に締結固定することができないような場合であっても、その位置において支持部材を固定し得る可能性を高くすることができる。
【００１５】
尚、ベース部の下方に床孔を形成して、ベース部を外部床に直接締結固定することができる場合には、本発明に係る固定補助具は用いられず、従来の方法によって支持部材が固定される。つまり、固定補助具は必要に応じて補助的に用いられるものである。このように、支持部材のベース部を初めから大型化させておくのではなく、必要に応じて固定補助具を用いることによって、外部床の所定の位置において支持部材を締結固定し得る可能性を高くすることができる。
【００１６】
また、本発明に係る固定補助具では、前記押さえ部の略中央となる位置には、前記支持柱を挿通するための支持柱用貫通孔が形成されており、前記支持柱用貫通孔に前記支持柱が挿通された後、前記固定部が前記外部床に締結固定される前の状態においては、前記支持柱の中心軸周りに回転させることが可能であることも好ましい。
【００１７】
この好ましい態様では、押さえ部の略中央となる位置に、支持部材の支持柱を挿通するための支持柱用貫通孔が形成されている。また、支持柱用貫通孔に支持柱が挿通された後、固定部が外部床に締結固定される前の状態においては、支持柱の中心軸周りに回転させることが可能となっている。
【００１８】
固定部の下方側（ベース部よりも外側）においても障害物が存在し、外部床に対する固定部の締結固定が妨げられるような場合であっても、固定補助具を支持柱の中心軸周りに回転させれば、障害物を避けた位置において固定部を締結固定することができる。つまり、支持部材の位置を変更することなく、当該位置において支持部材を固定し得る可能性を更に高くすることができる。
【００１９】
また、本発明に係る固定補助具では、前記固定部には、締結部材を挿通するための固定用貫通孔が複数箇所に形成されており、少なくとも二つの前記固定用貫通孔が、前記支持柱の中心軸からの距離において互いに異なるような位置に形成されていることも好ましい。
【００２０】
この好ましい態様では、固定部には、締結部材を挿通するための固定用貫通孔が複数箇所に形成されている。これらのうち、少なくとも二つの固定用貫通孔が、支持柱の中心軸からの距離において互いに異なるような位置に形成されている。換言すれば、支持柱の中心軸からの距離において他とは異なるような固定用貫通孔が、少なくとも一つ存在する。
【００２１】
このような構成であるから、固定補助具を支持柱の中心軸周りに回転させて行くと、高い確率で、いずれかの固定用貫通孔が障害物を避けた位置となる。換言すれば、いずれかの固定貫通孔が、その下方に障害物が無いような位置となるように、固定補助具を配置し得る可能性が高くなる。このため、支持部材の位置を変更することなく、当該位置において支持部材を固定し得る可能性を更に高くすることができる。
【００２２】
また、本発明に係る固定補助具では、前記押さえ部及び前記固定部の全体形状は、上面視において略長方形状であることも好ましい。
【００２３】
この好ましい態様では、押さえ部及び固定部の全体形状は、上面視において略長方形状である。このような構成により、障害物を避けるような位置に固定部を（回転させて）配置し得る可能性を犠牲にすることなく、固定補助具の全体形状を小型化することができる。
【００２４】
また、本発明に係る固定補助具では、前記支持部材が水平方向に移動してしまうことを規制するための規制部を更に備えたことも好ましい。
【００２５】
この好ましい態様では、支持部材が水平方向に移動してしまうことを規制するための規制部を更に備えている。支持部材は、上下方向の移動が規制されることに加え、水平方向の移動も規制される。このため、支持部材の固定位置が、正規の位置からずれてしまうことがない。
【００２６】
また、本発明に係る固定構造は、建物の屋根やベランダ等の外部床に載置された平板状のベース部と、当該ベース部の略中央から上方に向かって延びる支持柱と、を有する支持部材を、固定補助具によって前記外部床に対し固定してなる支持部材の固定構造であって、前記固定補助具は、前記ベース部に対して上方から重ねられた平板状の押さえ部と、前記押さえ部から前記ベース部よりも外側に向かって延びており、前記外部床に対して対向配置された平板状の固定部と、を備え、前記ベース部よりも外側となる位置において、前記固定部が前記外部床に締結固定されていることを特徴としている。
【００２７】
上記構成の本発明によれば、外部床の内部や下方に存在する障害物の位置に制約されることなく、任意の位置に支持部材を固定してなる支持部材の固定構造を提供することができる。
【００２８】
また、本発明に係る固定構造では、前記固定補助具が、前記支持部材が水平方向に移動してしまうことを規制するための規制部を更に備えていることも好ましい。
【００２９】
この好ましい態様では、支持部材の固定位置が、正規の位置からずれてしまうことのない固定構造とすることができる。
【発明の効果】
【００３０】
本発明によれば、外部床の内部や下方の障害物による制約を受けることなく、外部床のうち任意の位置に支持部材を固定することのできる固定補助具、及び固定構造を提供することができる。
【図面の簡単な説明】
【００３１】
【図１】支持部材を示す斜視図である。
【図２】支持部材を外部床に対して固定する手順を説明するための図である。
【図３】支持部材を外部床に対して固定することが、障害物によって妨げられる場合を説明するための図である。
【図４】本発明の実施形態に係る固定補助具の形状を示す斜視図である。
【図５】図１に示した固定補助具を用いて、支持部材を外部床に対して固定する手順を説明するための図である。
【発明を実施するための形態】
【００３２】
以下、添付図面を参照しながら本発明の実施の形態について説明する。説明の理解を容易にするため、各図面において同一の構成要素に対しては可能な限り同一の符号を付して、重複する説明は省略する。
【００３３】
図１は支持部材を示す斜視図である。支持部材とは、建物の屋根やベランダ等の外部床に固定された状態で、太陽光パネル等の屋外設置物を下方から支えるための部材である。本実施形態においては、支持部材１０の材料は鉄である。図１に示したように、支持部材１０は、ベース部１１と、支持柱１５とを有している。
【００３４】
ベース部１１は、支持部材１０のうち下方側の部分であって、上面視において略円形を成す平板状（円盤状）となっている。支持部材１０は、当該ベース部１１の下面を外部床上に当接させた状態で、外部床に対して締結固定される。ベース部１１には８つの貫通孔１２が形成されている。これら貫通孔１２は、ベース部１１の周方向に沿って円形に並んでおり、互いに等間隔となっている。後に説明するように、貫通孔１２は、ベース部１１を外部床に締結固定する際において締結部材（ＩＴハンガー２００）を挿入するための孔である。
【００３５】
支持柱１５は、ベース部１１の上面から上方に向かって延びるように形成された円筒形状の部分である。支持柱１５は、その中心軸がベース部１１の上面の中心を通っており、且つベース部１１の上面に対して垂直となっている。支持柱１５は、太陽光パネル等の屋外設置物を下方から支えるための柱である。支持柱１５はその上端において開口しており、内側面１６には雌螺子が形成されている。
【００３６】
本実施形態においては、図１に示したように支持柱１５が比較的短く（低く）形成されており、屋外設置物の設置高さに合わせて形成された延長柱（不図示）の下端を、支持柱１５に接続固定しうる構成となっている。延長柱は、その上端が屋外設置物に接続される円柱であって、その外側面のうち下端部近傍には雄螺子が形成されている。当該雄螺子を、内側面１６に形成された雌螺子に螺合させることにより、延長柱の下端が支持柱１５に対して接続固定される。
【００３７】
尚、外部床に対して固定される支持部材１０の形状としては、図１に示したような形状に限られる必要はなく、例えば、上記のような支持柱１５と延長柱とを一体のものとして形成してもよい。すなわち、支持柱１５を図１に示したものよりも長く形成し、その上端を屋外設置物に直接接続するような態様としてもよい。
【００３８】
ここで、上記のような支持部材１０を外部床に対して固定するための手順の一例を、図２を参照しながら説明する。図２（Ａ）に示したように、外部床１００は、軽量気泡コンクリートパネル（ＡＬＣ）からなるＡＬＣ層１４０と、発泡樹脂素材からなる断熱層１３０と、補強ボードからなる補強層１２０と、塩化ビニルシートからなる防水層１１０と、によって構成されている。ＡＬＣ層１４０は最下層となっており、その上方側を断熱層１３０が覆っている。また、断熱層１３０の上方側を補強層１２０が覆っており、補強層１２０の上方側を防水層１１０が覆っている。
【００３９】
このような構成の外部床１００に対して支持部材１０を固定する際は、先ず、屋外設置物の設置位置や向きに合わせて、支持部材１０の固定位置が決定される。その後、外部床１００のうち支持部材１０の固定位置となる部分において、防水層１１０、補強層１２０、及び断熱層１３０を取り除き、ＡＬＣ層１４０を露出させる。その結果、図２（Ｂ）に示したように、ＡＬＣ層１４０の上方側には凹状の空間１５０が形成される。空間１５０は、上面視において円形の空間であって、その直径は、支持部材１０のベース部１１の直径よりも僅かに大きくなっている。尚、このような外部床１００の加工は、例えばホールソーを用いて容易に行うことができる。
【００４０】
続いて、図２（Ｃ）に示したように、空間１５０内に支持部材１０を配置する。ＡＬＣ層１４０の表面のうち露出した部分の中心と、ベース部１１の中心とが略一致するように、ベース部１１の下面をＡＬＣ層１４０の表面に対して当接させる。
【００４１】
その後、ベース部１１の貫通孔１２から下方に向けて貫くように、ＡＬＣ層１４０に貫通孔１４１を形成する。貫通孔１４１は、その直径が貫通孔１２の直径と略同一である。このような貫通孔１４１は、複数（８つ）の貫通孔１２のうち少なくとも２か所の貫通孔１２の直下に形成される。
【００４２】
続いて、図２（Ｄ）に示したように、貫通孔１２及び貫通孔１４１を貫くようにＩＴハンガー２００を上方側から挿入する。ＩＴハンガー２００の形状は一般的なものであって、その上端にはナット２０１が螺合されており、下端にはロールプレート２０２が回動自在に取り付けられている。ＩＴハンガー２００のナット２０１を締め付けると、ナット２０１とロールプレート２０２とによってベース部１１及びＡＬＣ層１４０が挟み込まれる。これにより、ベース部１１がＡＬＣ層１４０に対して締結固定される。
【００４３】
その後、空間１５０のうち支持部材１０の周囲を発泡樹脂素材で埋めて、更にその上方を補強ボード及び塩化ビニルシートで覆った状態とすることにより、支持部材１０の周囲から外部床１００の内部に水が浸入することを防止する。このときに用いられる発泡樹脂素材や補強ボードとしては、空間１５０を形成する際に取り除かれた素材を再利用することができる。
【００４４】
以上が、支持部材１０を外部床１００に対して固定するための通常の手順である。
【００４５】
ところで、例えばＡＬＣ層１４０の内部に鉄筋が配置されている場合には、当該鉄筋が障害物となって、上記のように貫通孔１４１を形成することができないことがある。図３（Ａ）は、このような場合を模式的に示した図である。
【００４６】
図３（Ａ）に示したように、ＡＬＣ層１４０の内部のうち貫通孔１２の下方に鉄筋（障害物ＯＢ１）が配置されていると、当該貫通孔１２の下方には貫通孔１４１を形成することができない。このため、別の貫通孔１２の下方に貫通孔１４１を形成する必要がある。
【００４７】
しかし、障害物ＯＢ１の位置や大きさによっては、ベース部１１に形成された全ての貫通孔１２について、それぞれの下方に貫通孔１４１を形成することができない場合も生じ得る。このような場合には、従来、障害物ＯＢ１の位置を避けるように、支持部材１０の固定位置を変更する必要があった。
【００４８】
また、いずれかの貫通孔１２の下方に貫通孔１４１を形成することができたとしても、外部床１００（ＡＬＣ層１４０）の直下に配置された電気配線や配管等が障害物となって、ＩＴハンガー２００による締結固定ができないことがある。図３（Ｂ）は、このような場合を模式的に示した図である。
【００４９】
図３（Ｂ）に示したように、ＡＬＣ層１４０の下方（下面近傍の位置）に配管（障害物ＯＢ２）が配置されていると、ＩＴハンガー２００のロールプレート２０２が当該障害物ＯＢ２と干渉してしまうため、ＩＴハンガー２００による締結固定ができない。このため、別の貫通孔１２の下方に貫通孔１４１を形成し、当該貫通孔１４１においてＩＴハンガー２００による締結固定を行う必要がある。
【００５０】
しかし、障害物ＯＢ２の位置や大きさによっては、ベース部１１に形成された全ての貫通孔１２について、直下に貫通孔１４１を形成した後にＩＴハンガー２００による締結固定ができない場合も生じ得る。このような場合にも、障害物ＯＢ２の位置を避けるように、支持部材１０の固定位置を変更する必要があった。
【００５１】
尚、ＡＬＣ層１４０内の鉄筋の位置や、ＡＬＣ層１４０の下方における配管等の位置は、設計図面などによって予め知り得るものではある。このため、これらを避けるような位置（且つ、屋外設置物を最適な位置に固定し得る位置）に支持部材１０を固定することが望ましい。しかしながら、建築後のリフォーム等によって鉄筋や配管の位置が（建築時の）設計図面とは異なっている場合もあり得る。そのような場合には、上記のように支持部材１０を所望の位置に固定することができなくなる可能性がある。
【００５２】
以上に説明したように、障害物ＯＢ１、ＯＢ２の位置によっては、支持部材１０の固定位置を変更する必要が生じていた。しかしながら、（太陽光パネル等である）屋外設置物の固定位置は、太陽光の入射方向等を考慮して最適な位置とすべきものであるから、障害物ＯＢ１、ＯＢ２の位置によって制約されてしまうのは望ましくない。
【００５３】
そこで、本実施形態に係る支持部材１０の固定構造においては、障害物ＯＢ１、ＯＢ２によって支持部材１０の締結固定が妨げられた場合には、固定補助具３００を用いることにより、支持部材１０を所望の位置に固定する。以下、図４及び図５を参照しながら、このような固定構造について説明する。
【００５４】
まず、図４を参照しながら、固定補助具３００の形状について説明する。図４は、固定補助具３００の形状を示す斜視図である。本実施形態においては、固定補助具３００の材料は鉄である。図４に示したように、固定補助具３００は、押さえ部３１０と、一対の延長部３２０と、一対の固定部３３０とを備えている。
【００５５】
押さえ部３１０は、上面視において略円形を成す平板状（円盤状）となっている。押さえ部３１０の上面視における外形は、ベース部１１の外形と略等しい。
【００５６】
押さえ部３１０の中央には支持柱用貫通孔３１３が形成されている。支持柱用貫通孔３１３は、後に説明するように、支持部材１０の支持柱１５が挿通される孔であって、その内径が、支持柱１５の外径よりも僅かに大きくなっている。上面視において、支持柱用貫通孔３１３の中心は押さえ部３１０の中心と一致している。
【００５７】
押さえ部３１０のうち支持柱用貫通孔３１３の周囲には、４つの貫通孔３１２が形成されている。これら貫通孔３１２は、押さえ部３１０の周方向に沿って円形に並んでおり、互いに等間隔となっている。それぞれの貫通孔３１２の内径は、ベース部１１に形成された貫通孔１２の内径と等しい。また、押さえ部３１０の中心から貫通孔３１２の中心までの距離は、ベース部１１の中心から貫通孔１２の中心までの距離に等しい。従って、押さえ部３１０をベース部１１に上方から重ねて、貫通孔３１２の位置と貫通孔１２の位置とを一致させること（全ての貫通孔３１２の直下に、貫通孔１２が位置している状態とすること）が可能となっている。
【００５８】
延長部３２０は、押さえ部３１０の直径方向に沿ってそれぞれ両外側に延びるように形成された一対の板状部分である。それぞれの延長部３２０の形状は、互いに同一（対称）である。また、それぞれの延長部３２０の厚さは、押さえ部３１０の厚さと等しい。更に、それぞれの延長部３２０の下面は、押さえ部３１０の下面と同一の平面上に配置されている。
【００５９】
固定部３３０は、それぞれの延長部３２０の端部から更に外側に延びるように形成された一対の板状部分である。それぞれの固定部３３０は上面視において矩形となっており、その形状は互いに同一（対称）である。また、固定部３３０の厚さは、ベース部１１の厚さに略等しい。
【００６０】
図４に示したように、それぞれの固定部３３０は、その上面の一部を延長部３２０の下面に当接させた状態で、延長部３２０に対して溶接固定されている。このため、固定部３３０のうち押さえ部３１０側の側面３４０は、延長部３２０の下面から下方に向かって延びる面となっている。また、一対の固定部３３０は、それぞれの側面３４０が互いに平行且つ向かい合うように配置されている。これら側面３４０同士の距離は、ベース部１１の直径に略等しい。
【００６１】
それぞれの固定部３３０には、６つの貫通孔３３２が形成されている。貫通孔３３２の内径は、全て、ベース部１１に形成された貫通孔１２の内径と等しい。従って、貫通孔３１２の内径とも等しい。６つの貫通孔３３２は、押さえ部３１０側から見たときにおいて３行×２列に整列するように配置されている。換言すれば、押さえ部３１０の中心軸からの距離においてグループ分けすると、６つの貫通孔３３２が３つのグループ（各グル―プには二つの貫通孔３３２が属している）に分かれることとなる。
【００６２】
続いて、図５を参照しながら、固定補助具３００を用いて支持部材１０を外部床１００に対して固定するための手順を説明する。
【００６３】
障害物ＯＢ１や障害物ＯＢ２が存在しており、これにより従来の手順（図２を参照しながら説明した手順）によっては支持部材１０の固定が難しいと判断された場合、固定補助具３００を用いて支持部材１０を固定することが決定される。
【００６４】
この場合、支持部材１０を空間１５０から一度取り出しておく。その後、図５（Ａ）に示したように、空間１５０の周囲から防水層１１０、補強層１２０、及び断熱層１３０を更に取り除くことにより、空間１５０を拡げる。こときの空間１５０の大きさは、内部に固定補助具３００を収納し得る大きさとしておく。図５（Ａ）においては、このように拡げられる前の状態における空間１５０の形状を点線で示している。
【００６５】
続いて、図５（Ｂ）に示したように、空間１５０内に支持部材１０を再び配置する。このときの支持部材１０の位置は、当初の位置（従来の手順により固定しようとした際の位置）と同じ位置である。
【００６６】
支持部材１０をＡＬＣ層１４０の上に配置した後、図５（Ｃ）に示したように、支持部材１０に対して固定補助具３００を上方から被せた状態とする。具体的には、押さえ部３１０を、ベース部１１に対して上方から重ねた状態とする。このとき、支持部材１０の支持柱１５は、押さえ部３１０の支持柱用貫通孔３１３に挿通されている。また、固定補助具３００の固定部３３０は、ＡＬＣ層１４０の上面に対向配置されている。本実施形態においては、固定部３３０の厚さがベース部１１の厚さと等しいため、固定部３３０の下面がＡＬＣ層１４０の上面に当接している。尚、図５（Ｃ）においては、固定部３３０に形成された複数の貫通孔３３２のうち、最も外側に形成されたもののみを図示しており、他の貫通孔３３２については図示を省略している。
【００６７】
その後、固定部３３０の貫通孔３３２から下方に向けて貫くように、ＡＬＣ層１４０に貫通孔１４１を形成する。貫通孔１４１は、その直径が貫通孔３３２の直径と略同一である。このような貫通孔１４１は、それぞれの固定部３３０の下方において、複数（６つ）の貫通孔３３２のうち少なくとも２か所の貫通孔３３２の直下に形成されるのが望ましい。
【００６８】
続いて、図５（Ｄ）に示したように、貫通孔３３２及び貫通孔１４１を貫くように、それぞれの貫通孔１４１に対してＩＴハンガー２００を上方側から挿入する。以下は、図２（Ｄ）を参照しながら説明した従来の手順と同様に、ＩＴハンガー２００のナット２０１を締め付けて、固定部３３０をＡＬＣ層１４０に対して締結固定する。
【００６９】
図５（Ｄ）に示した状態においては、ベース部１１が押さえ部３１０によって上方から押さえつけられており、これにより、支持部材１０が外部床１００に対して固定されている。また、それぞれの固定部３３０の側面３４０が、ベース部１１の側面を両側から挟み込んだ状態となっており、これにより支持部材１０の水平方向の移動が規制されている。つまり、支持部材１０は、上下方向の移動が（押さえ部３１０によって）規制されていることに加えて、側面３４０によって水平方向の移動も規制されている。このため、支持部材１０の固定位置が、正規の位置からずれてしまうことが抑制されている。
【００７０】
その後、従来の手順と同様に、空間１５０のうち支持部材１０の周囲を発泡樹脂素材で埋めて、更にその上方を補強ボード及び塩化ビニルシートで覆った状態とする。これにより、支持部材１０の周囲から外部床１００の内部に水が浸入することを防止する。
【００７１】
以上に説明したように、本実施形態に係る支持部材１０の固定構造においては、支持部材１０のベース部１１よりも外側となる位置において、固定補助具３００の固定部３３０が外部床１００に締結固定される。それに伴い、押さえ部３１０がベース部１１を上方から押さえつけるため、支持部材１０も外部床１００に対して固定される。
【００７２】
外部床１００の内部に障害物ＯＢ１が存在し、これによりベース部１１の下方に貫通孔１４１を形成することができない場合や、外部床１００の下方に障害物ＯＢ２が存在し、これによりベース部１１を締結固定することができない場合であっても、障害物（ＯＢ１、ＯＢ２）を避けた位置において固定部３３０を外部床１００に締結固定することで、支持部材１０のベース部１１を外部床１００に対して押さえつけて固定することができる。つまり、ベース部１１の下方に障害物（ＯＢ１、ＯＢ２）があり、ベース部１１を直接外部床１００に締結固定することができないような場合であっても、当該位置において支持部材１０を固定し得る可能性を高くすることが可能となっている。
【００７３】
尚、固定部３３０に形成された全ての貫通孔３１２の下方に、障害物が存在している場合もありうる。このような場合には、支持柱用貫通孔３１３に支持柱１５が挿通された後、固定部３３０が外部床１００に締結固定される前の状態において、支持柱１５の中心軸周りに固定補助具３００を回転させることにより、貫通孔１４１を形成する位置を変更すればよい。
【００７４】
このように、貫通孔１４１を形成する位置を変更することによって、支持部材１０の位置を変更することなく、当該位置において支持部材１０を固定し得る可能性が更に高くなる。
【００７５】
また、図４を参照しながら説明したように、固定補助具３００のそれぞれの固定部３３０には、貫通孔３３２が複数箇所（６箇所）に形成されている。これらのうち、少なくとも二つの貫通孔３３２が、支持柱１５の中心軸（支持柱用貫通孔３１３の中心軸といってもよい）からの距離において互いに異なるような位置に形成されている。換言すれば、支持柱１５の中心軸からの距離において他とは異なるような貫通孔３３２が、少なくとも一つ存在している。
【００７６】
このような構成であるから、固定補助具３００を支持柱１５の中心軸周りに回転させて行くと、高い確率で、いずれかの貫通孔３３２が障害物（ＯＢ１、ＯＢ２）を避けた位置となる。換言すれば、いずれかの貫通孔３３２が、その下方に障害物（ＯＢ１、ＯＢ２）が無いような位置となるように、固定補助具３００を配置し得る可能性が高くなっている。このため、支持部材１０の位置を変更することなく、当該位置において支持部材１０を固定し得る可能性が更に高くなっている。
【００７７】
また、固定補助具３００の全体形状（押さえ部３１０、一対の延長部３２０、及び一対の固定部３３０からなる全体の形状）は、上面視において略長方形状となっている。このような構成により、障害物を避けるような位置に固定部３３０を（回転させて）配置し得る可能性を犠牲にすることなく、固定補助具３００の全体形状が小型化されている。
【００７８】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００７９】
１０：支持部材
１１：ベース部
１２：貫通孔
１５：支持柱
１６：内側面
１００：外部床
１１０：防水層
１２０：補強層
１３０：断熱層
１４０：ＡＬＣ層
１４１：貫通孔
１５０：空間
２００：ハンガー
２０１：ナット
２０２：ロールプレート
３００：固定補助具
３１０：押さえ部
３１２：貫通孔
３１３：支持柱用貫通孔
３２０：延長部
３３０：固定部
３３２：貫通孔
３４０：側面
ＯＢ１，ＯＢ２：障害物
【図１】
2015151804.tif 000003
【図２】
2015151804.tif 000004
【図３】
2015151804.tif 000005
【図４】
2015151804.tif 000006
【図５】
2015151804.tif 000007